(57)【要約】【課題】外観デザインを損ねることなくキャップを胴体のテイル部に確実に装着することが可能なキャップ構造体を提供する。【解決手段】  キャップ構造体であって、構造体本体（ペン本体１００）の胴体（胴軸１１０）の表面には、略軸方向及び略周方向に沿ってそれぞれ複数の四角錘台が規則的に配列され、かつ、互いに隣接する四角錘台の間に略軸方向に延びる「軸谷」が形成され、かつ、互いに隣接する四角錘台の間に略周方向に延びる「周谷」が形成されることによる「ローレット形状３００」が形成されている。キャップ開口部２０２側のキャップ２００の内周面に第１ねじ山４１０が形成されており、胴体（胴軸１１０）のテイル部１１２において、周谷が軸の回りを螺旋状に巻くことによって構成された第２ねじ山４２０を有しており、第２ねじ山４２０が第１ねじ山４１０と螺合可能となっている。【選択図】図１
0003226325.tif 000002
【実用新案登録請求の範囲】
【請求項１】
少なくとも胴体及び該胴体に連結された被保護部を有する構造体本体と、前記構造体本体の前記被保護部側に係合して前記被係合部を保護するキャップと、を備えたキャップ構造体であって、
前記胴体の表面の少なくとも一部にはローレット形状が形成されており、
前記ローレット形状は、略軸方向及び略周方向に沿ってそれぞれ複数の四角錘台が規則的に配列され、かつ、互いに隣接する前記四角錘台の間に前記略軸方向に延びる「軸谷」が形成され、かつ、互いに隣接する前記四角錘台の間に前記略周方向に延びる「周谷」が形成されることによる形状であり、
前記キャップはキャップ開口部を有し、該キャップ開口部側の前記キャップの内周面に第１ねじ山が形成されており、
前記胴体の少なくともテイル部において、前記ローレット形状を構成する前記周谷が軸の回りを螺旋状に巻くことによって構成された第２ねじ山を有しており、
前記第２ねじ山が前記第１ねじ山と螺合可能となっているキャップ構造体。
【請求項２】
前記第１ねじ山及び前記第２ねじ山におけるねじ山の条数が２条以上であることを特徴とする請求項１に記載のキャップ構造体。
【請求項３】
前記胴体の前記テイル部において、前記第２ねじ山を構成する前記周谷の深さは、前記軸谷の深さよりも深いことを特徴とする請求項１又は２に記載のキャップ構造体。
【請求項４】
請求項１〜３のいずれかに記載のキャップ構造体において、
前記構造体本体の被保護部寄りの部位においてもローレット形状が形成されており、
前記被保護部寄りの部位において、前記ローレット形状を形成する前記周谷が軸の回りを螺旋状に巻くことによって構成された第３ねじ山を更に有しており、
前記第３ねじ山が前記第１ねじ山と螺合可能となっていることを特徴とするキャップ構造体。
【請求項５】
請求項１〜４のいずれかに記載のキャップ構造体を備えた文房具。
【請求項６】
前記文房具は、少なくとも胴軸及びペン先を有するペン本体と、前記ペン本体の前記ペン先側に係合して前記ペン先を保護するキャップと、を備えたキャップ式筆記具であり、
前記ペン先を前記キャップ構造体の前記被保護部として構成し、
前記胴軸を前記キャップ構造体の前記胴体として構成し、
前記ペン本体を前記キャップ構造体の前記構造体本体として構成した、
ことを特徴とする請求項５に記載の文房具。
【請求項７】
前記キャップ式筆記具は、少なくとも前記テイル部における前記胴軸の外観形状が略円柱型となっている筆ペンであることを特徴とする請求項６に記載の文房具。
【請求項８】
請求項１〜４のいずれかに記載のキャップ構造体を備えた化粧品。
【考案の詳細な説明】
【技術分野】
【０００１】
本考案は、キャップ構造体、並びに、キャップ構造体を備えた文房具及び化粧品に関する。
【背景技術】
【０００２】
キャップ構造体を備えたキャップ式筆記具が知られている。図７は、従来のキャップ式筆記具９００，８００，８００ｂ，８００ｃを説明するために示す斜視図である。図７（ａ）は従来のキャップ式筆記具９００を示している。
【０００３】
従来のキャップ式筆記具９００は、図７（ａ）に示すように、大きく分けてペン本体９１０及びキャップ９２０を備えている。
キャップ式筆記具９００を使用しないときには、キャップ９２０の開口部９２２側を図の矢印Ａに従ってペン本体９１０と係合することにより、ペン先９１２を保護する。キャップ式筆記具９００を使用するときには、使用者は、キャップ９２０をペン本体９１０から外すことによってペン先９１２及び首軸９１３を露わにして筆記可能とする。筆記する際、場合によっては、キャップ９２０の開口部９２２側を図の矢印Ｂに従って胴軸９１１のテイル９１１ａ側に装着することもある。
図７（ａ）で示すキャップ式筆記具９００（この例では万年筆）は、胴軸９１１のテイル９１１ａ側は尻すぼみ状となっており、筆記具全体としてみたときにはカプセルに類似した形状となっている。別の言い方をすると、胴軸９１１のテイル９１１ａ側の外径寸法が、キャップ９２０の開口部９２２の内径寸法よりも小さくなっている。このため、キャップ９２０を胴軸９１１のテイル９１１ａ側にも嵌め合わせることができ、筆記する際にキャップ９２０を胴軸９１１のテイル９１１ａ側に装着することができる。
【先行技術文献】
【非特許文献】
【０００４】
【非特許文献１】日本筆記具工業会ホームページ、”万年筆とは  万年筆の特徴／書けるしくみ”、[online]、2002年、［2020年1月19日検索］、インターネット(URL:http://www.jwima.org/mannehitsu_web/02mannanhistu_towa/mannanhistu_towa.html)
【非特許文献２】Laurett's Official web site、” MLK万年毛筆製品仕”他、［online］、2020年、［2020年1月19日検索］、インターネット(URL:http://lauretts.jp/)
【考案の開示】
【考案が解決しようとする課題】
【０００５】
しなしながら、筆記具の製品コンセプトによっては、上記のようなカプセルに類似した形状のデザインを採用しない場合もある。例えば「毛筆」は、その多くが筆管として円筒状・円柱状（以下併せて円柱状、円柱型という）の竹木などを用いている。また「毛筆」をモチーフとしたいわゆる「筆ペン」についても、胴軸のデザインを竹木に倣って円柱型にすることが多い。換言すると胴軸のテイル側を尻すぼみとしないことが多い（例えば非特許文献２で参照可能なＭＬＫ万年毛筆）。
【０００６】
上記のように胴軸の外観デザインを円柱型とする場合には、製品仕様を胴軸８１１のテイル８１１ａ側にキャップ８２０を装着しないものとし、ある程度の割り切りをもって当該筆記具を市場提供することとなる《図７（ｂ）参照。図７（ｂ）は胴軸８１１全体が円柱型のキャップ式筆記具８００の一例を示す》。
【０００７】
その一方で、外観デザインを基本的に円柱型で維持しながらも、テイル側にキャップを装着させる構成も検討できなくはない。
図７（ｃ）及び図７（ｄ）はキャップ式筆記具８００の変形例を示すもので、キャップ９２０を図７（ａ）の矢印Ｂに従って図７（ｂ）の破線Ｃで囲まれた領域に移動したときの拡大斜視図をそれぞれ示している。例えば、図７（ｃ）に示すように、キャップ式筆記具８００ｂの胴軸８１１’のテイル８１１ｂ側において、胴軸８１１’中央寄りの外径寸法よりも小さい径を有する篏合部８１８を設ける。こうすることで、筆記する際には、矢印Ｂに従って該篏合部８１８にキャップ８２０ｂの開口部８２２ｂを嵌め合わせてキャップ８２０ｂを装着することができる。
【０００８】
また例えば、図７（ｄ）に示すように、キャップ式筆記具８００ｃのキャップ８２０ｃの内周面８２２ｃに溝８２４を設けると共に、胴軸８１１’’のテイル８１１ｃ側に、当該溝８２４に嵌め合いが可能な凸部８１４を設ける。こうすることで、筆記する際には、溝８２４及び凸部８１４を嵌め合わせることにより、キャップ８２０ｃを胴軸８１１’’のテイル８１１ｃ側に確実に装着することができる。
【０００９】
しかしながら、図７（ｃ）のキャップ式筆記具８００ｂの場合には、テイル８１１ｂ側にギャップＧＰが出来るため、テイル８１１ｂ側のデザインが胴軸８１１’の中央寄りのデザインとは異なるものとなり、筆記具全体としての外観デザインを損ねてしまう。また、単に篏合させるだけなので確実な装着は期待できず、キャップ８２０ｂが脱落し易い。
また、図７（ｄ）のキャップ式筆記具８００ｃの場合には、テイル８１１ｃ側に凸部８１４が出来るため、同様にテイル８１１ｃ側のデザインが胴軸８１１’’の中央寄りのデザインとは異なるものとなり、筆記具全体としての外観デザインを損ねてしまう。
【００１０】
これまで述べたような課題は、キャップ式筆記具だけに限定して生じる課題ではない。図示は省略するが、胴体（上記筆記具の例では胴軸がこれに対応する）に連結された被保護部（保護されるべき部位）をキャップによって守るような構造を有しているもの（以下「キャップ構造体」という）全般においても生じうる課題である。上記した筆記具の他にも、例えば、把持部が円柱状のペン型になっている消しゴム・はさみ・ペンケース等の文房具全般、あるいは、マスカラ・アイライナー等の化粧品全般などにおいても上記課題は生じ得るものとなっている。
【００１１】
そこで本考案は上記した事情に鑑みてなされたものであり、外観デザインを損ねることなくキャップを胴体のテイル部に確実に装着することが可能なキャップ構造体を提供することを目的とする。また、このようなキャップ構造体を備えた文房具、化粧品等を提供することを目的とする。
【課題を解決するための手段】
【００１２】
本考案の一態様によれば、少なくとも胴体及び該胴体に連結された被保護部を有する構造体本体と、前記構造体本体の前記被保護部側に係合して前記被保護部を保護するキャップと、を備えたキャップ構造体が提供される。このキャップ構造体において、前記胴体の表面の少なくとも一部にはローレット形状が形成されており、前記ローレット形状は、略軸方向及び略周方向に沿ってそれぞれ複数の四角錘台が規則的に配列され、かつ、互いに隣接する前記四角錘台の間に前記略軸方向に延びる「軸谷」が形成され、かつ、互いに隣接する前記四角錘台の間に前記略周方向に延びる「周谷」が形成されることによる形状であり、前記キャップはキャップ開口部を有し、該キャップ開口部側の前記キャップの内周面に第１ねじ山が形成されており、前記胴体の少なくともテイル部において、前記ローレット形状を構成する前記周谷が軸の回りを螺旋状に巻くことによって構成された第２ねじ山を有しており、前記第２ねじ山が前記第１ねじ山と螺合可能となっている。
【００１３】
また、本発明考案の別の一態様によれば、上記したようなキャップ構造体を備えた文房具、化粧品等が提供される。
【考案の効果】
【００１４】
本考案によれば、外観デザインを損ねることなくキャップを胴体のテイル部に確実に装着することが可能なキャップ構造体を提供することができる。また、このようなキャップ構造体を備えた文房具、化粧品等を提供することができる。
【図面の簡単な説明】
【００１５】
【図１】実施形態に係るキャップ式筆記具１（キャップ構造体）を説明するために示す斜視図である。
【図２】実施形態に係るキャップ式筆記具１（キャップ構造体）の要部を説明するために示す図である。
【図３】実施形態の第１ねじ山４１０及び第２ねじ山４２０について説明するために示す図である。
【図４】実施例に係る筆ペン（キャップ式筆記具）を示す六面図としての写真である。
【図５】変形例に係るキャップ式筆記具（キャップ構造体）２，３，４を説明するために示す斜視図である。
【図６】変形例のペン本体（構造体本体）１０５，１０６及びキャップ２００’を説明するために示す斜視図である。
【図７】従来のキャップ式筆記具９００，８００，８００ｂ，８００ｃを説明するために示す斜視図である。
【考案を実施するための形態】
【００１６】
以下、本考案に係るキャップ構造体の実施形態について、キャップ構造体がキャップ式筆記具である場合を一例として、図面を参照して説明する。以下において「実施形態に係るキャップ式筆記具」との記載は「実施形態に係るキャップ構造体」と読み替えることができる。
各図面は一例を示した模式図であり、必ずしも実際の寸法、比率等を厳密に反映したものではない。なお、以下の図面及び明細書において、キャップ式筆記具における軸ａｘと平行な方向を「軸方向ＡＸ」とし、軸ａｘ周りの方向を「周方向ＣＦ」とし、軸ａｘに垂直な方向であって軸ａｘから離れていく方向を「径方向ＲＤ」とする。
【００１７】
［実施形態］
１．実施形態に係るキャップ式筆記具１（キャップ構造体）の構成
（１）基本構成
図１は、実施形態に係るキャップ式筆記具１を説明するために示す斜視図である。図１（ａ）はキャップ２００がペン本体１００から取り外されたときの状態を示す。図１（ｂ）はキャップ２００がペン本体１００に装着されたときの状態を示す。
【００１８】
図１（ａ）に示すように、キャップ式筆記具１は、大きく分けてペン本体１００及びキャップ２００を備える。ペン本体１００は、少なくとも胴軸１１０及びペン先１２０を有する。キャップ２００は、ペン本体１００のペン先１２０側に係合してペン先１２０を保護する。
なお、ペン本体１００，胴軸１１０，ペン先１２０は、それぞれ、本考案の「構造体本体」，「胴体」，「被保護部」に対応し、前者を後者に読み替えることができる。逆に後者を前者として読むこともできる。構造体本体、胴体及び被保護部の符号は省略する。
【００１９】
キャップ式筆記具１は、文房具の一種であり本考案の「キャップ構造体」に対応する。この「文房具」は、少なくとも胴軸１１０及びペン先１２０を有するペン本体１００と、ペン本体１００のペン先１２０側に係合してペン先１２０を保護するキャップ２００と、を備えたキャップ式筆記具１であり、ペン先１２０をキャップ構造体の被保護部として構成し、胴軸１１０をキャップ構造体の胴体として構成し、ペン本体１００をキャップ構造体の構造体本体として構成したものである。
逆に、実施形態に係る文房具は、実施形態に係るキャップ構造体を備えた文房具であるとも言える。
【００２０】
被保護部は、キャップ式筆記具１のペン先１２０のように、キャップ構造体の中でも比較的繊細な取り扱いが必要な部分である。
キャップ２００は、構造体本体の被保護部側に係合して被保護部を保護するものである。キャップ２００は、被保護部（ペン先１２０）が外部に露出しないように保護するという基本機能の他に、被保護部の品質を保持する機能（ペン先１２０の破損防止・乾燥防止等）、被保護部に塵埃等の異物の浸入を防ぐ機能などを有する場合もある。
【００２１】
胴軸１１０は、使用者が筆記する際に指先・掌等で把持する部分である。胴軸１１０の少なくともテイル部１１２における外観形状は略円柱型となっている。実施形態に係るキャップ式筆記具１では胴軸１１０の全体に渡って略円柱型となっている。胴軸１１０の内部には墨・インク等を収容するカートリッジ・コンバータ・替え芯等が格納される（図示を省略）。実施形態における胴軸１１０は金属製の部材を用いたものとなっている。しかしこれに限定されるものではなく、木、竹、セラミック等からなる部材を用いたものであってもよい。
ペン先１２０は、紙・皮膚等の筆記対象物と接触して墨・インク・朱肉・化粧材等の画材を筆記対象物に移す部分である。ペン先１２０は、胴軸１１０に連結されており胴軸１１０と共にペン本体１００を構成している。
この他に、実施形態に係るキャップ式筆記具１においては、ペン先１２０と胴軸１１０との間に首軸１３０が配設されている《図１（ａ）参照》。首軸１３０は、胴軸１１０に対して図示しないねじ山に沿って軸ａｘの周りに回動可能となっており、首軸１３０、ペン先１２０、カートリッジ・コンバータ・替え芯等（図示しない）を胴軸１１０から分離することができる。首軸１３０と胴軸１１０との間には、リング状の部材が嵌挿されており、かかるリング状の部材は後述する目印１１７としての機能も有している。本明細書においては、胴軸１１０のペン先１２０に近い部位、及び／又は、首軸１３０の一部を「ペン先寄りの部位１１６」と言うものとする。
一方、キャップ２００は、有底の略円筒状を成しており、底と反対の側に開口したキャップ開口部２０２を有している。
【００２２】
ここでの「筆記具」とは、ボールペン、筆ペン、メカニカルペンシル、蛍光ペン、フェルトペン、修正ペン、印鑑、アイライナー、マスカラ等の全般をいう。実施形態に係るキャップ式筆記具１の一例としては、筆ペンを挙げることができる。
ここでの「キャップ式の筆記具」とは、いわゆる「ノック式の筆記具」と対比される筆記具である。一般に、「キャップ式の筆記具」はペン先を保護するためのキャップを備える。キャップはペン本体から分離可能となっている。使用者が筆記を行わないとき（非使用時）には、キャップをペン本体と係合することにより（篏合・螺合など含む）、キャップをペン本体と一体化することができる。また、筆記する際（使用時）には、使用者はキャップをペン本体から分離したままペン本体のみを把持することもあるが、キャップの紛失防止、重量バランスの適正化などのためにキャップをペン本体のテイル部に装着（係合）した状態で使用することもある。
【００２３】
図１（ｂ）に示すように、実施形態に係るキャップ式筆記具１において、非使用時には、図１（ａ）の矢印Ａに従ってキャップ２００をペン本体１００のペン先１２０側に係合することにより、キャップ２００をペン本体１００に装着することができる。この状態にすることでペン先１２０を保護することができる《図１（ｂ）参照》。なお、目印１１７は、キャップ２００をペン本体１００のペン先１２０側に装着した際に、キャップ２００を最も−ＡＸ側に入れることが可能な位置を示している。そのような位置関係となったときには、キャップ縁部２０５が目印１１７の近傍の位置に位置するように構成されている。
【００２４】
一方、キャップ式筆記具１の使用時には、キャップ２００をペン本体１００から外すことによってペン先１２０及び首軸１３０が露わとなり筆記可能となる《図１（ａ）参照》。さらに、キャップ２００は、キャップ開口部２０２の側を図１（ａ）の矢印Ｂに従って胴軸１１０のテイル部１１２に装着することもできる。テイル部１１２へのキャップ２００の装着については、胴軸１１０に形成されているローレット形状３００の中に隠された第２ねじ山４２０と、キャップ２００の内周面に形成された第１ねじ山４１０とが螺合することによるものであるが、詳細は後述する。
【００２５】
（２）ローレット形状３００
図２は、実施形態に係るキャップ式筆記具１の要部を説明するために示す図である。図２（ａ）は、キャップ２００を図１（ａ）の矢印Ｂに従って破線Ｄで囲まれた領域に移動したときの拡大斜視図である。図２（ｂ）は、図２（ａ）の矢印Ｅに沿って胴軸１１０のテイル部１１２を見たときの拡大斜視図である（図の右側がテイルエンド１１２ａの側）。図２（ｃ）は、胴軸１１０のテイル部１１２における、軸谷３４０と周谷３５０との交差角度について示す模式図である。図２（ｄ）は、図２（ａ）の矢印Ｆに沿って胴軸１１０のテイル部１１２（テイルエンド１１２ａ側）を見たときの拡大右側面図である。
【００２６】
図２（ａ）に示すように、実施形態に係るキャップ式筆記具１において、胴軸１１０の表面の少なくとも一部にはローレット形状３００が形成されている。
ここでは、胴軸１１０の表面（円柱の側面）の全体に渡ってローレット形状３００が形成されている《図１（ａ）及び図１（ｂ）参照》。また、ペン先寄りの部位１１６においてもローレット形状３００が形成されている。具体的には首軸１３０の一部においてローレット形状３００が形成されている《図１（ａ）参照》。
【００２７】
図２（ｂ）に示すように、「ローレット形状３００」は、胴軸１１０の略軸方向（凡そ軸方向ＡＸ）及び略周方向（凡そ周方向ＣＦ）に沿ってそれぞれ複数の四角錘台３３０が規則的に配列され、かつ、互いに隣接する四角錘台３３０の間に略軸方向に延びる「軸谷３４０」が形成され、かつ、互いに隣接する四角錘台３３０の間に略周方向に延びる「周谷３５０」が形成されることによる形状である。
なお、図においてｉ，ｊ，ｌ，ｍを用いた下付き文字は配列された四角錘台３３０，軸谷３４０，周谷３５０のIndex番号を示す。例えば、互いに隣接する四角錘台３３０ｉと３３０ｉ＋１との間には略軸方向に延びる軸谷３４０ｌ＋１が形成されている。また、互いに隣接する四角錘台３３０ｉと３３０ｊとの間には略周方向に延びる周谷３５０ｍが形成されている。
【００２８】
四角錘台３３０は、上底面３３２、軸斜面３４２及び周斜面３５２からなる。上底面３３２は、ローレット加工を行う前の胴軸１１０のオリジナルな表面と同じ面である。軸斜面３４２は、軸谷３４０を形成するために切削等を行うことで形造られたものであり、軸方向に延びる面である《図２（ｄ）も参照。なお図において符号１１２ｂは面取り部を示す》。周斜面３５２は、周谷３５０を形成するために切削等を行うことで形造られたものであり、略周方向に延びる面である。
別の言い方をすると、表面に凹凸のない胴軸１１０の原材料に切削加工を施して「軸谷３４０」及び「周谷３５０」を形成する（いわゆるローレット加工をする）ことにより、複数の「四角錘台３３０」が浮き彫りとなる。複数の四角錘台３３０が配列されると、上底面３３２が規則的に配列されて全体としては格子状に見えるようになる。
【００２９】
軸谷３４０は、略軸方向（凡そ軸方向ＡＸ）と平行な方向に延びる谷状の部位、すなわち他の部位よりも軸ａｘ側に彫り込まれており谷のようになっている部位、をいうものとする。同様に、周谷３５０は、略周方向（凡そ周方向ＣＦ）に延びる谷状の部位をいうものとする。
【００３０】
図２（ｃ）に示すように、胴軸１１０の少なくともテイル部１１２において、周谷３５０が軸谷３４０に対してなす角θは非直角（９０°ではない）に構成されている。これは後述するように、胴軸１１０の少なくともテイル部１１２においては、周谷３５０が軸ａｘの回りを連続的に螺旋状に巻くようにして形成されていることからである。こうしたことから、四角錘台３３０は、上底面３３２に垂直な方向から見たときには厳密にいうと平行四辺形に見えるものとなっている。
もっとも、本考案の「四角錘台３３０」には、上底面３３２の面積がほぼ０（ゼロ）の略錐体状のものも含まれるものとする。
【００３１】
なお、軸谷３４０の深さと周谷３５０の深さとの間の大小関係は如何なる関係であってもよい。ただ、胴軸１１０のテイル部１１２において、第２ねじ山４２０（後述）を構成する周谷３５０の深さは、軸谷の深さよりも深くなっていることが好ましい。この場合、周谷３５０の谷筋（最も低い部分）は連続的なものとなるが、軸谷３４０の谷筋は、周谷３５０が当該谷筋を更に削っていくため断続的なものとなる。なお、ここでの「深さ」とは四角錘台３３０の上底面３３２を基準とした当該谷の深さをいう。
【００３２】
なお、上記では切削加工を伴う工程によりローレット形状を形成する例を説明したが、これに限定されるものではない。例えば、鋳造によってローレット形状を形成してもよいし、プレスによってローレット形状を形成してもよい。
【００３３】
（３）第１ねじ山４１０及び第２ねじ山４２０
図３は、実施形態の第１ねじ山４１０及び第２ねじ山４２０について説明するために示す図である。図３（ａ）は、後述する図３（ｃ）の２点鎖線Ｇで示す仮想面（軸ａｘを含む仮想的な面）で、胴軸１１０のテイル部１１２及びキャップ２００を切断したときの要部断面図である。図３（ｂ）は、第２ねじ山４２０の条数を説明するために示すテイル部１１２の要部斜視図（模式的な図）である。図３（ｃ）は、キャップ２００が図１（ａ）の矢印Ｂに沿って胴軸１１０のテイル部１１２に螺合して、キャップ２００がペン本体１００に装着されたときの状態を示す。
【００３４】
図３（ａ）に示すように、キャップ２００においては、キャップ開口部２０２側のキャップの内周面２０４に第１ねじ山４１０が形成されている《図２（ａ）も併せて参照》。ここでの第１ねじ山４１０は雄ねじである。
他方、ペン本体１００においては、胴軸１１０の少なくともテイル部１１２において、上記したローレット形状３００を構成する周谷３５０が軸ａｘの回りを連続的に螺旋状に巻くことによって構成された第２ねじ山４２０を有している。ここでの第２ねじ山４２０は雌ねじである。周谷３５０の谷筋、該谷筋を挟むように配置されている２つの四角錘台３３０の各斜面等が雌ねじのねじ山としての機能を果たしている。
そして、かかる第２ねじ山４２０が第１ねじ山４１０と螺合可能となっている。つまり、第２ねじ山４２０は、配置ピッチ、ねじ山の深さ／高さ等において、第１ねじ山４１０の配置ピッチ、ねじ山の深さ／高さ等に対応するように形成されている。
上記のようにしてキャップ２００の第１ねじ山４１０に対応するようにして、ペン本体１００を構成する胴軸１１０のテイル部１１２にローレット形状３００を活用した第２ねじ山４２０が形成されているため、図３（ｃ）に示すように、キャップ２００を螺合することによりペン本体１００のテイル部側に装着することができる。
【００３５】
ねじ山の条数は、適宜に設定することができる。例えば１条であってもよい。
ここでは、第１ねじ山４１０及び第２ねじ山４２０におけるねじ山の条数が２条以上であることが好ましい。図３（ｂ）において、模式的に実線で示した線は第２ねじ山４２０の第１条４２０ａのねじ山を示し、点線で示した線は第２ねじ山４２０の第２条４２０ｂのねじ山を示している。図示しない第１ねじ山４１０についてもこれらに整合するように２条で形成されている。
【００３６】
ねじ山のピッチＰは、適宜に設定することができる。なお、ねじ山のピッチＰは周谷３５０の配置ピッチと言い換えることもできる《図３（ａ）及び図２（ｂ）参照》。
【００３７】
（４）ペン先寄りの部位１１６における第３ねじ山４３０
また、必須ではないが、ペン先寄りの部位１１６（胴軸１１０のペン先寄りの表面又は首軸１３０の表面）においてもローレット形状３００に基づく第３ねじ山４３０を形成してもよい。例えば、図１（ａ）に示すように、胴軸１１０のペン先寄りの表面又は首軸１３０の表面において、ローレット形状３００を形成する周谷３５０が軸ａｘの回りを螺旋状に巻くことによって構成された第３ねじ山４３０を更に有するものとし、第３ねじ山４３０が第１ねじ山４１０と螺合可能となるように構成してもよい。
ペン先寄りの部位１１６をこのように構成することで、ペン先寄りの部位１１６においても、テイル部１１２に構成した場合と同様の効果を奏することができる。
【００３８】
２．実施形態に係るキャップ式筆記具１（キャップ構造体）の効果
（１）実施形態に係るキャップ式筆記具１は、上記したように、キャップ２００の内周面２０４に第１ねじ山４１０が形成され、胴軸１１０の少なくともテイル部１１２において第２ねじ山４２０を有しているため、第２ねじ山４２０が第１ねじ山４１０と螺合することでキャップ２００を胴軸１１０のテイル部１１２に確実に装着することができる。
また、第２ねじ山４２０は、ローレット形状３００を構成する周谷３５０が軸ａｘの回りを螺旋状に巻くように構成されたもので実現しているため、胴軸１１０には、外観上は一見すると単にローレット加工が施されているようにしか見えない。つまり、ローレット形状３００の中に隠されるようにして第２ねじ山４２０がカモフラージュされている。よって、筆記具としての外観デザインを損ねることもない。
したがって、本考案によれば外観デザインを損なることなくキャップを胴軸１１０（胴体）のテイル部１１２に確実に装着することができるキャップ式筆記具１（キャップ構造体）を提供することができる。
【００３９】
（２）一般に、筆記する際には、キャップをペン本体から取り外したならば迅速にキャップを胴軸のテイル部に装着を完了して早々に筆記を始めたいという要請も強い。
実施形態に係るキャップ式筆記具１は、ねじ山の条数を２条以上に設定することにより、キャップ２００を胴軸１１０のテイル部１１２に装着する際、キャップ２００の回転角が比較的小さくてもキャップ２００をペン先１２０の方向に進行させることができる。つまり、迅速に螺合を完了してキャップ２００の装着を終えることができる。
【００４０】
（３）周谷３５０の深さを軸谷３４０の深さよりも深く形成することにより、周谷３５０によるねじ山（特に谷筋）に段差を無くすことができ連続的なものとすることができる。そうすると、かかる周谷３５０による第２ねじ山４２０は円滑に第１ねじ山４１０を案内することができ、キャップ２００の螺合がより円滑なものとなる。
【００４１】
（４）実施形態のキャップ式筆記具１（キャップ構造体）において、ペン本体１００（構造体本体）のペン先寄りの部位１１６（被保護部寄りの部位）においてもローレット形状が形成されており、ペン先寄りの部位１１６（被保護部寄りの部位）において、ローレット形状３００を形成する周谷３５０が軸ａｘの回りを螺旋状に巻くことによって構成された第３ねじ山４３０を更に有しており、第３ねじ山４３０が第１ねじ山４１０と螺合可能となっている。このような構成となっているため、ペン先寄りの部位１１６においても、外観デザインも損なることなくキャップ２００を確実に装着することができる。
【００４２】
（５）昨今、日本の職人による精緻なモノづくり・高い機能性等が世界的に評価されており、日本製の筆記具は国内外から人気を集めている。特に外観デザインを重視した高級志向の筆記具においては、精緻な外観デザインが可能な限り滅殺されることなく商品価値を維持又は向上させていくことが重要である。これは筆記具に限らず、キャップ構造体を備えた他の諸製品についても同様のことが言える。
一方、「キャップ構造体」を備えた製品は文房具に限らず多く存在する。例えば、マスカラ・アイライナー等の化粧品全般、ナイフ・カッター・特に微細な＋／−ドライバー・ペンライト等の工具全般、体温計等の健康器具全般など挙げられる。こうした分野の製品にあっても外観デザインを重視した製品については、本考案を適用することにより、本考案の効果を引き出すことができる。
【００４３】
例えば、これまで本明細書で述べてきた特徴を備えた文房具は、外観デザインが滅殺されることなく当該文房具の商品価値を維持又は向上させることができる。キャップ式筆記具のうち、特に外観デザインを重視する製品分野にあっては、本考案を適用することにより、本考案の効果を引き出すことができる。筆ペンは、竹筒等のストレート状の円柱を持ち手とした毛筆の形状を模したものが多い。したがって、少なくともテイル部１１２における胴軸１１０の外観形状が略円柱型となっている筆ペンに本考案を適用することにより、本考案の効果をより一層引出すことができる。
【００４４】
（６）化粧品の分野にあっては、化粧品の容器・ケース等の外観デザインを重視する傾向にある。このため、化粧品の分野の製品に本考案を適用することにより、本考案の効果をより一層引き出すことができる。
【００４５】
［実施例］
考案者は、本考案に係るキャップ構造体をキャップ式筆記具の「筆ペン」として実施し、所期の作用・効果を得ることができたので、以下説明する。
図４は、実施例に係る筆ペン（キャップ式筆記具１）を示す六面図としての写真である。  図４（ａ）は、キャップ２００を装着したときの筆ペンの正面図である。なお、背面図、平面図及び底面図についても図４（ａ）と同様であり、図４（ａ）をそれぞれの図面として援用することができる。図４（ｂ）は右側面図、図４（ｃ）は左側面図をそれぞれ示す。図４（ｄ）は参考図でありキャップを取り外したときのペン本体のみを示す正面図である。図４（ｅ）は参考図でありキャップを胴軸のテイル部に装着したときの正面図である。なお、図４においては特段の符号を付さないため、以下の説明で用いる符号は図１〜図３を参照しながら援用するものとする。
【００４６】
１．実施品の構成
図４に示すように、キャップ式筆記具１（筆ペン）の胴軸１１０全体の外観形状を円柱型とし、胴軸１１０全体をローレット形状３００として形成した。周谷３５０の配置ピッチを１ｍｍとし軸谷３４０の配置ピッチは１ｍｍ＋α程度として設定した。胴軸１１０全体において、周谷３５０の深さは軸谷３４０の深さよりも深くなるようにした。また、胴軸１１０のペン先寄りの表面においてもローレット形状３００を形成して、かつ、第３ねじ山を形成した。なお、第１ねじ山におけるねじ山の条数を２条とした。これに対応するように、第２ねじ山及び第３ねじ山についてもねじ山の条数を２条とした。胴軸１１０はアルミニウムを主原料とする材料を用いた。
【００４７】
２．実施品の効果
実施品によれば、キャップ２００が胴軸１１０のテイル部１１２において螺合可能となることを確認した《図４（ｅ）参照》。また、実施品のテイル部１１２を含む胴軸１１０は、一様にローレット形状３００となっており、一見するだけではローレット加工が施されているようにしか見えず、ローレット形状３００の中に隠されるようにして第２ねじ山４２０がカモフラージュされていることを確認した。よって、筆記具としての外観デザインを損ねていないことを確認した。
同様に、胴軸１１０のペン先寄りの表面（ペン先寄りの部位１１６）において、キャップ縁部２０５が目印１１７付近にまで到達するようにしてキャップ２００の第２ねじ山４２０と胴軸１１０の第３ねじ山４３０とが螺合可能となり、キャップ２００がペン本体１００のペン先１２０側に係合して、ペン先１２０を保護することを確認した《図４（ａ）参照》。
【００４８】
以上、本考案を上記の実施形態に基づいて説明したが、本考案は上記の実施形態に限定されるものではない。その趣旨を逸脱しない範囲において種々の態様において実施することが可能であり、例えば以下のような変形も可能である。なお、図５は、変形例に係るキャップ式筆記具２，３，４を説明するために示す斜視図である。図６は、変形例のペン本体（構造体本体）１０５，１０６及びキャップ２００’を説明するために示す斜視図である。図５，図６において実施形態と共通する構成要素については、実施形態と共通する符号を付し、それらの詳しい説明は実施形態における説明を援用する。
【００４９】
（１）実施形態ではペン先寄りの部位１１６においてもローレット形状３００に基づく第３ねじ山４３０を形成した例を示した。しかしながら本考案はこれに限定されるものではない。例えば、図５（ａ）に示すキャップ式筆記具２のように、ペン先寄りの部位１１６にはローレット形状を導入せず、通常の形状のねじ山を形成するものとしてもよい（変形例１）。
【００５０】
（２）実施形態では胴軸１１０の全体に渡ってローレット形状３００が形成された例を示した。しかしながら本考案はこれに限定されるものではない。例えば、図５（ｂ）に示すキャップ式筆記具３のように、胴軸１１０の中央寄り１１４はローレット形状を形成しない構成としてもよい（変形例２）。また、図５（ｃ）に示すキャップ式筆記具４のように、変形例１の特徴と変形例２の特徴とを双方併せ持つ構成としてもよい（変形例３）。
【００５１】
（３）実施形態では胴軸１１０が円柱状である場合を例示して説明した。しかしながら本考案はこれに限定されるものではない。例えば、図６（ａ）に示すように、ペン本体１０５（ここで図示しているのは胴軸のテイル部１１２）を、一部に平面を有する略角柱状としながら、角に相当する部分に軸ａｘを中心とした円弧の形状を設け、かかる円弧の部分にローレット形状３００を構成し、ローレット形状３００に隠された第２ねじ山４２０を形成したものとしてもよい（変形例４）。
また、図６（ｂ）に示すように、ペン本体１０６（ここで図示しているのは胴軸のテイル部１１２）を、略角柱状としながらも、角の一部を削り込んで周谷（符号なし）形成して第２ねじ山４２０を形成したものとしてもよい（変形例５）。
なお、変形例４及び変形例５においては、第２ねじ山４２０としての周谷（符号なし）は、軸ａｘの回りを断続的に螺旋状に巻くものとして構成される。このような第２ねじ山４２０についても本考案に含まれるものとする。
【００５２】
（４）実施形態ではキャップ２００が有底円筒状である場合を例示して説明した。しかしながら本考案はこれに限定されるものではない。例えば、図６（ｃ）に示すように、キャップ２００’を概略角筒状の形状としてもよい（変形例６）。
【符号の説明】
【００５３】
１，２，３，４，８００，８００ｂ，８００ｃ，９００…キャップ式筆記具、１００，１０５，１０６，８１０，９１０…ペン本体、１１０，８１１，８１１'，８１１''，９１１…胴軸、１１２…テイル部、１１２ａ…テイルエンド、１１６…ペン先寄りの部位、１１７…目印、１２０，９１２…ペン先、１３０，９１３…首軸、２００，２００’，８２０，８２０ｂ，８２０ｃ，９２０…キャップ、２０２…キャップ開口部、２０４…内周面、２０５…キャップ縁部、３００…ローレット形状、３３０…四角錘台、３３２…上底面、３４０…軸谷、３４２…軸斜面、３５０…周谷、３５２…周斜面、４１０…第１ねじ山、４２０…第２ねじ山、４２０ａ…第２ねじ山の第１条、４２０ｂ…第２ねじ山の第２条、４３０…第３ねじ山、８１１ａ，８１１ｂ，８１１ｃ，９１１ａ…テイル、８１４…凸部、８１８…篏合部、８２２ｂ，９２２…開口部、８２２ｃ…内周面、８２４…溝
【図１】
0003226325.tif 000003
【図２】
0003226325.tif 000004
【図３】
0003226325.tif 000005
【図４】
0003226325.tif 000006
【図５】
0003226325.tif 000007
【図６】
0003226325.tif 000008
【図７】
0003226325.tif 000009